(57)【要約】      （修正有）【課題】薄型表示装置の背面に取り付けられるハンドルを提供する。【解決手段】薄型表示装置の背面に取り付けられるハンドル１００は、薄型表示装置の背面に接し、予め定められた規格に適合する貫通孔１１を有する基部１０と、基部と接し、ユーザが保持できる保持部２０と、基部と保持部との少なくとも一方に接し、薄型表示装置に接続されるケーブルが巻き付けられる巻き付け部とを備える。【選択図】図１
0003224440.tif 000002
【実用新案登録請求の範囲】
【請求項１】
薄型表示装置の背面に取り付けられるハンドルであって、
前記薄型表示装置の背面に接し、予め定められた規格に適合する貫通孔を有する基部と、
前記基部と接し、ユーザが保持できる保持部と、
前記基部と前記保持部との少なくとも一方に接し、前記薄型表示装置に接続されるケーブルが巻き付けられる巻き付け部と、を備える、ハンドル。
【請求項２】
請求項１に記載のハンドルであって、
前記巻き付け部は、前記基部が延伸した部位を折り曲げて形成されている、ハンドル。
【請求項３】
請求項１または請求項２に記載のハンドルであって、
前記保持部は、板金を折り曲げて形成したグリップ部を有する、ハンドル。
【請求項４】
請求項３に記載のハンドルであって、
前記ハンドルが前記薄型表示装置の背面に取り付けられた状態において、前記保持部は、前記基部の重力方向において上側に設けられており、前記グリップ部の下面に弾性部材を備える、ハンドル。
【請求項５】
請求項１から請求項４のうちいずれか一項に記載のハンドルであって、
前記巻き付け部は、前記ケーブルの端部を固定するための固定部を有する、ハンドル。
【請求項６】
請求項５に記載のハンドルであって、
前記固定部は、前記巻き付け部に設けられた切り欠きである、ハンドル。
【請求項７】
請求項１から請求項６のうちいずれか一項に記載のハンドルであって、
前記保持部は、前記基部が延伸した部位を折り曲げて形成されている、ハンドル。
【請求項８】
請求項１から請求項７のうちいずれか一項に記載のハンドルであって、
前記ハンドルが前記薄型表示装置の背面に取り付けられた状態において、
前記保持部は、前記基部の重力方向において上側に設けられており、
前記巻き付け部は、前記基部の下側に設けられている、ハンドル。
【請求項９】
請求項１から請求項７のうちいずれか一項に記載のハンドルであって、
前記ハンドルが前記薄型表示装置の背面に取り付けられた状態において、
前記保持部は、前記基部の重力方向において上側に設けられており、
前記巻き付け部は、前記基部を水平方向において挟んで左右に一組設けられている、ハンドル。
【考案の詳細な説明】
【技術分野】
【０００１】
本開示は、薄型表示装置の背面に取り付けられるハンドルに関する。
【背景技術】
【０００２】
近年、液晶ディスプレイ等の薄型表示装置を持ち運びやすくするために、薄型表示装置に後付けするハンドルが知られている。例えば、特許文献１には、ＡＣアダプターを保持するためのアダプターホルダを備えるハンドルが記載されている。
【先行技術文献】
【特許文献】
【０００３】
【特許文献１】特開２００８−１５２１２１
【考案の概要】
【考案が解決しようとする課題】
【０００４】
薄型表示装置を持ち運ぶ場合には、電源ケーブルや映像信号ケーブル等の薄型表示装置に接続するケーブルも持ち運ぶ必要がある。従来のハンドルでは、ケーブルの持ち運びまで考慮されていなかった。そのため、薄型表示装置とケーブルとをまとめて持ち運ぶことができる技術が求められていた。
【課題を解決するための手段】
【０００５】
本開示は、上述の課題を解決するためになされたものであり、以下の形態として実現することが可能である。
【０００６】
（１）本開示の一形態によれば、薄型表示装置の背面に取り付けられるハンドルが提供される。このハンドルにおいて、前記薄型表示装置の背面に接し、予め定められた規格に適合する貫通孔を有する基部と、前記基部と接し、ユーザが保持できる保持部と、前記基部と前記保持部との少なくとも一方に接し、前記薄型表示装置に接続されるケーブルが巻き付けられる巻き付け部と、を備える。この形態のハンドルによれば、ケーブルが巻き付けられる巻き付け部を備えるため、薄型表示装置とケーブルとをまとめて持ち運ぶことができる。
（２）上記形態のハンドルにおいて、前記巻き付け部は、前記基部が延伸した部位を折り曲げて形成されてもよい。この形態のハンドルによれば、巻き付け部の形成時において煩雑な作業を省略できる。
（３）上記形態のハンドルにおいて、前記保持部は、板金を折り曲げて形成したグリップ部を有してもよい。この形態のハンドルによれば、よりユーザが保持しやすい。また、グリップ部を容易に製造できる。
（４）上記形態のハンドルにおいて、前記ハンドルが前記薄型表示装置の背面に取り付けられた状態において、前記保持部は、前記基部の重力方向において上側に設けられており、前記グリップ部の下面に弾性部材を備えてもよい。この形態のハンドルによれば、よりユーザが保持しやすい。
（５）上記形態のハンドルにおいて、前記巻き付け部は、前記ケーブルの端部を固定するための固定部を有してもよい。この形態のハンドルによれば、薄型表示装置を持ち運ぶ際に、ケーブルを固定できる。そのため、例えば、薄型表示装置を運んでいる最中にケーブルが揺れて、ケーブル端部にあるプラグがユーザや薄型表示装置等にぶつかることを抑制できる。
（６）上記形態のハンドルにおいて、前記固定部は、前記巻き付け部に設けられた切り欠きでもよい。この形態のハンドルによれば、固定部にケーブルを嵌め込むことでケーブルを固定できるため、ケーブルの固定において煩雑な作業を省略できる。
（７）上記形態のハンドルにおいて、前記保持部は、前記基部が延伸した部位を折り曲げて形成されてもよい。この形態のハンドルによれば、保持部の形成時において煩雑な作業を省略できる。
（８）上記形態のハンドルにおいて、前記ハンドルが前記薄型表示装置の背面に取り付けられた状態において、前記保持部は、前記基部の重力方向において上側に設けられており、前記巻き付け部は、前記基部の下側に設けられてもよい。この形態のハンドルによれば、ケーブルを保持部と巻き付け部とに巻き付けることができるため、十分な間隔でケーブルを巻き付けることができる。
（９）上記形態のハンドルにおいて、前記ハンドルが前記薄型表示装置の背面に取り付けられた状態において、前記保持部は、前記基部の重力方向において上側に設けられており、前記巻き付け部は、前記基部を水平方向において挟んで左右に一組設けられてもよい。この形態のハンドルによれば、十分な間隔でケーブルを巻き付けることができる。また、複数のケーブルを、分けて巻き付けることができる。
【０００７】
なお、本開示は、種々の形態で実現することが可能であり、例えば、薄型表示装置の背面に取り付けられるハンドルの製造方法等の形態で実現することができる。
【図面の簡単な説明】
【０００８】
【図１】ハンドルを背面から示す斜視図である。
【図２】ハンドルを横方向から見た側面図である。
【図３】ハンドルの薄型表示装置への取り付けの説明図である。
【図４】第２実施形態におけるハンドルを背面から示す斜視図である。
【図５】第３実施形態におけるハンドルを背面から示す斜視図である。
【図６】第４実施形態におけるハンドルを背面から示す斜視図である。
【図７】第４実施形態におけるハンドルを横方向から見た側面図である。
【考案を実施するための形態】
【０００９】
Ａ．第１実施形態：
図１は、本開示の一実施形態におけるハンドル１００を背面から示す斜視図であり、図２は、ハンドル１００を横方向から見た側面図であり、図３は、ハンドル１００の薄型表示装置２００への取り付けの説明図である。本実施形態において「ハンドル１００の背面」とは、ハンドル１００において、薄型表示装置２００の背面側に取り付けられる側と反対側を示す。図２には互いに直行するｘ軸、ｙ軸、ｚ軸を示している。ｘ軸はハンドル１００の幅方向に沿った方向であり、ｙ軸はハンドル１００の高さ方向に沿った方向であり、ｚ軸はハンドル１００の奥行き方向に沿った方向である。これらの軸は図３以降に示した軸に対応している。
【００１０】
ハンドル１００は、基部１０と、保持部２０と、巻き付け部３０と、を備える。図３に示すように、ハンドル１００は、薄型表示装置２００の背面に取り付けられる。本実施形態において、ハンドル１００は、板金をプレス成形することによって形成される。ハンドル１００は、角部分が面取りされていることが好ましい。
【００１１】
基部１０は、薄型表示装置２００の背面に接する部位である。基部１０は、予め定められた規格に適合する位置に形成された貫通孔１１を有する。予め定められた規格は、例えば、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格である。基部１０は、貫通孔１１にネジ２２０が挿入され、ネジ２２０が薄型表示装置２００のネジ穴（図示せず）にネジ止めされることで、薄型表示装置２００に取り付けられる。本実施形態では、サイズの異なる薄型表示装置２００に取り付け可能なように、つまり、異なるＶＥＳＡ規格に対応できるように、外側の貫通孔１１ａと内側の貫通孔１１ｂとの２通りの貫通孔１１が用意されている。
【００１２】
保持部２０は、ユーザが保持できる部位である。保持部２０は、基部１０と接するように設けられている。本実施形態において、保持部２０は、ハンドル１００が薄型表示装置２００の背面に取り付けられた状態において、基部１０の重力方向において上側（＋ｙ軸方向側）の延伸した部位を薄型表示装置２００側と反対側（−ｚ軸方向）に９０度折り曲げ、更に、折り曲げた箇所よりも先端側を上側に向けて９０度折り曲げることにより形成されている。なお、折り曲げの角度は任意に定める事ができる。また、本実施形態において、保持部２０は、板金を折り曲げて形成したグリップ部２１を備えている。グリップ部２１は、保持部２０を構成する板金の一部であって、ユーザがハンドル１００を保持するために手を通す部位として切り込みを設けた部分を、板金から取り除かずに折り曲げて形成することで、ユーザが手を通す穴と同時に形成される。グリップ部２１の下面には、ゴムや革、布等の弾性部材２２が備えられている。
【００１３】
巻き付け部３０は、薄型表示装置２００に接続されるケーブル２１０が巻き付けられる部位である。巻き付け部３０は、基部１０と保持部２０との少なくとも一方に接するように設けられている。本実施形態において、巻き付け部３０は、基部１０の下側（−ｙ軸方向側）が延伸した部位を薄型表示装置２００側と反対側（−ｚ軸方向）に９０度折り曲げ、更に、折り曲げた箇所よりも先端側を下側に向けて９０度折り曲げることにより形成されている。なお、折り曲げの角度は任意に定める事ができる。また、巻き付け部３０は、ケーブル２１０の端部を固定するための固定部３１を有する。本実施形態において、固定部３１は、巻き付け部３０に設けられた穴であり、固定部３１にクランプや結束バンド、マジックテープ（登録商標）等を通して、ケーブル２１０の端部を固定する。
【００１４】
本実施形態において、ケーブル２１０は、保持部２０と巻き付け部３０とに巻き付けられる。これによって、ケーブル２１０は、巻き付け部３０のみに巻き付ける場合よりも、広い間隔で巻き付けることができるため、断線することをより効果的に抑制できる。保持部２０と巻き付け部３０との間隔は、例えば、ケーブル２１０の曲げに対する負荷が小さくなり、断線を抑制できる曲率半径の大きいカーブで巻き付けることができる間隔である。
【００１５】
以上で説明した本実施形態のハンドル１００によれば、ケーブル２１０が巻き付けられる巻き付け部３０を備えるため、薄型表示装置２００とケーブル２１０とをまとめて持ち運ぶことができる。また、保持部２０および巻き付け部３０は、基部１０が延伸した部位を折り曲げて形成されているため、保持部２０の形成時および巻き付け部３０の形成時において煩雑な作業を省略できる。また、保持部２０は、保持部２０の一部である板金を折り曲げて形成したグリップ部２１を有しているため、よりユーザが保持しやすい。また、グリップ部２１を容易に製造できる。また、保持部２０は、グリップ部２１の下面に弾性部材２２を備えているため、よりユーザが保持しやすい。また、巻き付け部３０は、固定部３１を有しているため、薄型表示装置２００を持ち運ぶ際に、ケーブル２１０の端部を固定できる。そのため、例えば、薄型表示装置２００を運んでいる最中にケーブル２１０が揺れて、ケーブル２１０の端部にあるプラグがユーザや薄型表示装置２００等にぶつかることを抑制できる。また、保持部２０は、基部１０の上側に設けられており、巻き付け部３０は、基部１０の下側に設けられているため、ケーブル２１０を保持部２０と巻き付け部３０とに十分な間隔で巻き付けることができる。
【００１６】
Ｂ．第２実施形態：
図４は、第２実施形態におけるハンドル１００Ａを背面から示す斜視図である。第２実施形態においてハンドル１００Ａは、巻き付け部３０Ａが基部１０を水平方向（ｘ軸方向）において挟んで左右に一組設けられている点が第１実施形態と異なり、他の構成は同一である。
【００１７】
以上で説明した本実施形態によれば、巻き付け部３０Ａが基部１０を挟んで左右に一組設けられている。そのため、左右にある巻き付け部３０Ａの両方を介するように、ケーブル２１０を十分な間隔で巻き付けることができる。また、複数のケーブル２１０を、保持部２０と巻き付け部３０Ａの一方と、保持部２０と巻き付け部３０Ａの他方とで、分けて巻き付けることができる。
【００１８】
Ｃ．第３実施形態：
図５は、第３実施形態におけるハンドル１００Ｂを背面から示す斜視図である。第３実施形態においてハンドル１００Ｂは、固定部３１Ｂが、切り欠きである点が第１実施形態と異なり、他の構成は同一である。
【００１９】
以上で説明した本実施形態によれば、固定部３１Ｂは巻き付け部３０に切り欠きを設けることで形成される。そのため、固定部３１Ｂにケーブルを嵌め込むことでケーブルを固定でき、ケーブルの固定において煩雑な作業を省略できる。
【００２０】
Ｄ．第４実施形態：
図６は、第４実施形態におけるハンドル１００Ｃを背面から示す斜視図であり、図７は、ハンドル１００Ｃを横方向（ｘ軸方向）から見た側面図である。第４実施形態においてハンドル１００Ｃは、保持部２０が、グリップ部２１の代わりに把手部２３を有する点が第１実施形態と異なり、他の構成は同一である。
【００２１】
把手部２３は例えば、木製の円柱である。把手部２３は、保持部２０と別部材であり、保持部２０の上部に下側（−ｙ軸方向側）から嵌め込まれるように設けられている。
【００２２】
以上で説明した本実施形態によれば、保持部２０は、把手部２３を有するため、よりユーザが保持しやすい。
【００２３】
Ｅ．その他の実施形態：
（Ｅ１）上述した実施形態において、保持部２０は、基部１０が延伸した部分を折り曲げて形成されている。この代わりに、保持部２０は、予め形成された部材を基部１０に溶接やボルト等により取り付けることで形成されてもよい。また、巻き付け部３０も同様に、基部１０が延伸した部分を折り曲げて形成されているが、予め形成された部材を基部１０に取り付けることで形成されてもよい。
【００２４】
（Ｅ２）上述した実施形態において、巻き付け部３０は、固定部３１を有しているが、有していなくてもよい。
【００２５】
（Ｅ３）上述した実施形態において、巻き付け部３０の幅は基部１０の幅よりも小さいが、これに限らず、巻き付け部３０の幅は任意に定める事ができる。
【００２６】
本開示は、上述の実施形態に限られるものではなく、その趣旨を逸脱しない範囲において種々の構成で実現することができる。例えば考案の概要の欄に記載した各形態中の技術的特徴に対応する実施形態中の技術的特徴は、上述した課題を解決するために、あるいは上述の効果の一部又は全部を達成するために、適宜、差し替えや組み合わせを行うことが可能である。また、その技術的特徴が本明細書中に必須なものとして説明されていなければ、適宜削除することが可能である。
【符号の説明】
【００２７】
１０…基部、１１、１１ａ、１１ｂ…貫通孔、２０…保持部、２１…グリップ部、２２…弾性部材、２３…把手部、３０、３０Ａ…巻き付け部、３１、３１Ｂ…固定部、１００、１００Ａ、１００Ｂ、１００Ｃ…ハンドル、２００…薄型表示装置、２１０…ケーブル、２２０…ネジ
【図１】
0003224440.tif 000003
【図２】
0003224440.tif 000004
【図３】
0003224440.tif 000005
【図４】
0003224440.tif 000006
【図５】
0003224440.tif 000007
【図６】
0003224440.tif 000008
【図７】
0003224440.tif 000009